(57)【要約】【課題】観察方向に制限されることなく潜像による真偽判別を容易に行うことができるとともに、真偽判別を行う場合に潜像が存在する領域を容易に認識する。【解決手段】基材表面に設けられた背景色領域１２と、背景色領域１２とは異なる色を具備し、背景色領域１２上にマトリックス状に設けられた複数のマーク部１１と、背景色領域１２の所定領域にて複数のマーク部１１の配列方向と並行して行及び列を構成し、背景色領域１２の色が頂部にて表出するように形成された複数の凸部１３と、背景色領域１２における所定領域以外の領域にて複数の凸部１３の配列方向と並行して行及び列を構成し、頂部がマーク部１１を含むように形成された複数の凸部１４と、複数の凸部１３と複数の凸部１４との間に、複数の凸部１３及び複数の凸部１４の配列方向に並行して連続状に延びた凸部１３とを有する。【選択図】図１
2008194829.tif 000002
【特許請求の範囲】
【請求項１】
基材表面に設けられた背景色領域と、
前記背景色領域とは異なる色を具備し、前記背景色領域上に行及び／または列を構成して設けられた複数のマーク部と、
前記背景色領域の所定領域にて前記複数のマーク部の配列方向と並行して行及び／または列を構成し、前記背景色領域の色が頂部にて表出するように形成された複数の第１の凸部と、
前記背景色領域における前記所定領域以外の領域にて前記複数の第１の凸部の配列方向と並行して行及び／または列を構成し、頂部が前記マーク部を含むように形成された複数の第２の凸部と、
前記複数の第１の凸部と前記複数の第２の凸部との間に、前記複数の第１の凸部及び複数の第２の凸部の配列方向に並行して連続状に延びた第３の凸部とを有する偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
また、潜像による真偽判別を行う場合、潜像がどの領域に存在するかがわかりにくいという問題点がある。
【０００８】
本発明は、上述したような従来の技術が有する問題点に鑑みてなされたものであって、観察方向に制限されることなく潜像による真偽判別を容易に行うことができるとともに、真偽判別を行う場合に潜像が存在する領域を容易に認識することができる偽造防止媒体を提供することを目的とする。
【課題を解決するための手段】
【０００９】
上記目的を達成するために本発明は、
基材表面に設けられた背景色領域と、
前記背景色領域とは異なる色を具備し、前記背景色領域上に行及び／または列を構成して設けられた複数のマーク部と、
前記背景色領域の所定領域にて前記複数のマーク部の配列方向と並行して行及び／または列を構成し、前記背景色領域の色が頂部にて表出するように形成された複数の第１の凸部と、
前記背景色領域における前記所定領域以外の領域にて前記複数の第１の凸部の配列方向と並行して行及び／または列を構成し、頂部が前記マーク部を含むように形成された複数の第２の凸部と、
前記複数の第１の凸部と前記複数の第２の凸部との間に、前記複数の第１の凸部及び複数の第２の凸部の配列方向に並行して連続状に延びた第３の凸部とを有する。
【００１０】
上記のように構成された本発明においては、基材を正面から観察した場合、基材表面の背景色領域上に背景色領域とは異なる色で行及び／または列を構成して設けられた複数のマーク部が認識される。基材には第１、第２及び第３の凸部が形成されているが、基材を正面から観察した場合は、この第１、第２及び第３の凸部の凸形状における頂部側から底部側に向かって観察することになるため、行及び／または列を構成した複数のマーク部が認識されるだけであり、潜像は浮かび上がって見えてこない。この状態から観察方向を基材表面に対して鋭角をなす方向に変化させていくと、まず、第３の凸部が連続状に延びた形状のものであることから、第３の凸部の側面における光の反射によって認識される。この第３の凸部は、複数の第１の凸部と複数の第２の凸部との間に、複数の第１の凸部及び複数の第２の凸部の配列方向に並行して形成されているため、複数の第１の凸部または複数の第２の凸部による潜像が存在する領域が認識されることになる。その後、さらに観察方向を基材表面に対して鋭角をなす方向に変化させていくと、基材表面に凸状に形成された複数の凸部の側面が、その凸部の観察方向側に隣接する凸部によって隠れて見えなくなっていき、頂部のみが見えるような状態となる。その際、複数の凸部のうち、第１の凸部においては背景色領域の色が頂部にて表出しており、また、第２の凸部においては背景色領域とは異なる色のマーク部が頂部にて表出している。そのため、これらの色の違いによって複数の第１の凸部または複数の第２の凸部による潜像が浮かび上がって見えるようになる。ここで、本発明においては、背景色領域上に複数のマーク部が行及び／または列を構成して設けられ、この背景色領域の所定領域にて複数のマーク部の配列方向と並行して行及び／または列を構成した複数の第１の凸部が形成されるとともに、背景色領域における所定領域以外の領域にて複数の第１の凸部の配列方向と並行して行及び／または列を構成した複数の第２の凸部が形成されているので、基材表面に対して鋭角をなすどの方向から観察した場合であっても、基材表面に凸状に形成された複数の凸部の側面が、その凸部の観察方向側に隣接する凸部によって隠れて見えなくなっていき、頂部のみが見えるような状態となり、第１の凸部の頂部の色と第２の凸部の頂部の色との違いによって複数の第１の凸部または複数の第２の凸部による潜像が浮かび上がって見えるようになる。
【発明の効果】
【００１１】
以上説明したように本発明においては、背景色領域にこの背景色領域とは色が異なる複数のマーク部が行及び／または列を構成して設けられ、この背景色領域の所定領域にて複数のマーク部の配列方向と並行して行及び／または列を構成した複数の第１の凸部が形成されるとともに、背景色領域における所定領域以外の領域にて複数の第１の凸部の配列方向と並行して行及び／または列を構成した複数の第２の凸部が形成された構成としたため、基材表面に対して鋭角をなすどの方向から観察した場合であっても、基材表面に凸状に形成された複数の凸部の側面が、その凸部の観察方向側に隣接する凸部によって隠れて見えなくなっていき、頂部のみが見えるような状態となり、観察方向に制限されることなく複数の第１の凸部または複数の第２の凸部による潜像が浮かび上がってその潜像による真偽判別を容易に行うことができる。また、複数の第１の凸部と複数の第２の凸部との間に、複数の第１の凸部及び複数の第２の凸部の配列方向に並行して連続状に延びた第３の凸部が形成されているため、真偽判別を行うために観察方向を基材表面に対して鋭角をなす方向に変化させていくと、まず、第３の凸部の側面における光の反射によって認識されることとなり、それにより、真偽判別を行う場合に潜像が存在する領域を容易に認識することができる。
【発明を実施するための最良の形態】
【００１２】
以下に、本発明の実施の形態について図面を参照して説明する。
【００１３】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は（ｂ）に示したＢ−Ｂ’断面図、（ｅ）は凸部１３の構成を示す図、（ｆ）は凸部１４の構成を示す図である。
【００１４】
本形態の偽造防止シート１は図１に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１５】
図１（ｂ）に示すように、シート基材２に設けられた偽造防止構造１０には、シート基材２の平面部３のベース色と同一の白色からなる背景色領域１２上に、背景色領域１２とは異なる黒色からなる複数のマーク部１１が設けられている。この複数のマーク部１１は、背景色領域１２上に行及び列を構成して設けられることによりマトリックス状となっている。
【００１６】
複数のマーク部１１がマトリックス状に設けられた領域には、第１の凸部となる複数の凸部１３と、第２の凸部となる複数の凸部１４と、第３の凸部１５とが形成されている。これら凸部１３，１４は図１（ｃ）〜（ｆ）に示すように、円錐から頂点の部分が取り除かれた同一形状であって、シート基材２をエンボス版等で平面部３側から０．０５〜０．１ｍｍ程度窪ませることにより側面１３ａ，１４ａが形成され、平面部３との同一面が頂部１３ｂ，１４ｂとなっている。そして、この頂部１３ｂ，１４ｂからシート基材２の窪み方向に向かうに従ってその断面積が徐々に広くなり、凸部１３，１４の底部においては、直径が０．５ｍｍ以下の円形状となっている。
【００１７】
凸部１３は、複数の凸部１３の配列形状によって潜像となる「Ｔ」の字を表現するように複数のマーク部１１の配列方向と並行して行や列を構成して背景色領域１２の所定領域に形成されており、そのそれぞれは、マトリックス状に設けられた４つのマーク部１１間に形成されている。そして、その頂部１３ｂ及び底部の径が４つのマーク部１１によって形成される隙間の大きさよりも大きいことから、図１（ｅ）に示すように、４つのマーク部１１の一部がそれぞれ側面１３ａ及び頂部１３ｂにかかるとともに、その４つのマーク部１１に囲まれた部分の背景色領域１２の白色が頂部１３ｂにて表出している。凸部１４は、背景色領域１２にて複数の凸部１３が形成された領域を取り囲むように、複数のマーク部１１の配列方向と並行して行や列を構成して形成されており、そのそれぞれは、マトリックス状に設けられた複数のマーク部１１のうち、所定領域以外の領域に設けられたマーク部１１上に形成されている。そして、その頂部１４ｂ及び底部の径がマーク部１１の径よりも小さいことから、図１（ｆ）に示すように、頂部１４ｂ及び側面１４ａがマーク部１１のみを含むようなものとなっている。なお、本形態にて図示する偽造防止構造１０は、説明を簡単にするために１００個のマーク部１１が１０×１０のマトリックス状に形成されたものであるが、その数を多くすればするほど、この偽造防止構造１０によって浮き上がらせることができる潜像となる文字を精細なものとすることができ、曲線等を表現しやすくなる。
【００１８】
凸部１５は、複数の凸部１３と複数の凸部１４との間に、凸部１３，１４の配列方向に並行して連続状に延びて形成されており、それにより、その配列形状が、凸部１３によって表現される「Ｔ」の字の輪郭となっている。
【００１９】
以下に、上記のように構成された偽造防止シート１の製造方法について説明する。
【００２０】
まず、シート基材２の偽造防止構造１０が設けられる領域、すなわち、白色の背景色領域１２となる領域に、１００個のマーク部１１を１０×１０のマトリックス状に黒色で印刷する。なお、このマーク部１１の印刷は、上述したようなプレ印刷と同時に行ってもよいし、上述したプレ印刷を行った後に行ってもよい。
【００２１】
次に、マーク部１１が印刷された領域に、シート基材２の平面部３側からエンボス版を押し付けることによって、大きさが互いに異なる凸部１３，１４を形成する。このエンボス版によって、凸部１３は、マーク部１１が印刷された領域のうち、潜像となる「Ｔ」を形成する所定領域にてマトリックス状に設けられた複数のマーク部１１間に形成され、また、凸部１４は、マトリックス状に設けられた複数のマーク部１１のうち、所定領域以外の領域に設けられたマーク部１１上に形成され、また、凸部１５は、複数の凸部１３と複数の凸部１４との間に、凸部１３，１４の配列方向に並行して連続状に延びるように形成される。
【００２２】
上述したようにして偽造防止シート１が製造され、その後、用途に応じた情報がシート基材２の情報印刷領域４に印刷されて使用されることになる。
【００２３】
以下に、上述した偽造防止シート１の作用について説明する。
【００２４】
まず、図１に示した偽造防止シート１を正面、すなわち、シート基材２の平面部３の法線方向から観察した場合の作用について説明する。
【００２５】
図２は、図１に示した偽造防止シート１を正面から観察した場合の作用を説明するための図であり、偽造防止構造１０の見え方を示す。
【００２６】
図１に示した偽造防止シート１を、正面、すなわち平面部３の法線方向から観察した場合、図２に示すように、偽造防止構造１０においては、背景色領域１２が白色であるのに対してこの背景色領域１２にマトリックス状に設けられた複数のマーク部１１が黒色であることから、マトリックス状の複数のマーク部１１が認識される。この際、シート基材２には、複数の凸部１３，１４及び連続状の凸部１５が形成されているが、偽造防止シート１を正面から観察した場合は、この凸部１３〜１５の頂部側から底部側に向かって観察することになるため、凸部１３〜１５が認識されにくく、複数のマーク部１１がマトリックス状に認識されるだけとなり、潜像「Ｔ」は浮かび上がって見えてこない。
【００２７】
次に、図１に示した偽造防止シート１に対する観察方向を正面、すなわち、シート基材２の平面部３の法線方向から変化させていった場合の作用について説明する。
【００２８】
図３は、図１に示した偽造防止シート１に対する観察方向を正面から変化させていった場合に生じる作用を説明するための図であり、（ａ）は連続状の凸部１５による作用を示す図、（ｂ），（ｃ）は偽造防止構造１０の見え方を示す図である。
【００２９】
図１に示した偽造防止シート１に対する観察方向を正面から変化させていくと、シート基材２の平面部３に対する観察方向のなす角度が鋭角になっていく。すると、観察方向が凸部１３〜１５の側面に対向する方向となっていき、凸部１３〜１５の側面における光の反射により凸部１３〜１５が認識しやすくなってくる。ここで、凸部１３，１４においては、上述したように円錐から頂点の部分が取り除かれた形状であるため、側面にて反射した光は分散するが、凸部１５においては、凸部１３，１４の配列方向に連続状に延びたものであるため、側面（図３（ａ）中斜線部）にて反射した光は分散されずに観察方向に反射してくる。それにより、凸部１３，１４よりも凸部１５の方が認識されやすくなる。この凸部１５は、その配列形状によって潜像「Ｔ」を表現する複数の凸部１３と、その背景となる複数の凸部１４との間に形成されているため、例えば、偽造防止シート１に対する観察方向を図１中下側に変化させていくと、図３（ｂ）に示すような潜像［Ｔ］の輪郭像１５ａが現れ、また、偽造防止シート１に対する観察方向を図１中右側に変化させていくと、図３（ｃ）に示すような潜像［Ｔ］の輪郭像１５ａが現れ、それにより、偽造防止構造１０のうち、潜像「Ｔ」が存在する領域を認識することができる。なおこの際、凸部１５においては、図３（ａ），（ｂ）に示すように、観察方向と直交する方向に延びた部分が側面における光の反射によって認識されやすくなるが、観察方向に平行となる部分についても、凸部１５が連続状となっていることから他の領域との区別がつきやすく、それにより、潜像［Ｔ］の輪郭全体が視覚的に見えるようになる。
【００３０】
次に、図１に示した偽造防止シート１に対する観察方向をさらに変化させていった場合の作用について説明する。
【００３１】
図４は、図１に示した偽造防止シート１に対する観察方向を正面から変化させていった場合の作用を説明するための図であり、（ａ）は第１の凸部１３について側面方向から見た図、（ｂ）は第２の凸部１４について側面方向から見た図、（ｃ）〜（ｆ）は偽造防止構造１０の見え方を示す図である。なお、図４（ｃ）〜（ｆ）においては、図示をわかりやすくするために凸部１５を省略してある。
【００３２】
図１に示した偽造防止シート１に対する観察方向を図３に示した状態からさらに変化させていくと、シート基材２の平面部３に対する観察方向のなす角度がさらに鋭角になっていく。すると、図４（ａ），（ｂ）に示すように、複数の凸部１３，１４の側面１３ａ，１４ａが、その凸部１３，１４の観察方向側に隣接する凸部１３，１４によって隠れて見えなくなっていき、頂部１３ｂ，１４ｂのみが見えるような状態となる。また、観察方向側に凸部１５が隣接している場合は、その凸部１５によっても凸部１３，１４の側面１３ａ，１４ａが隠れて見えなくなっていき、頂部１３ｂ，１４ｂのみが見えるような状態となる。
【００３３】
ここで、複数の凸部１３，１４のうち、潜像を表現する凸部１３においては、図１（ｅ）に示したように、背景色領域１２の白色が頂部１３ｂにて表出しており、また、凸部１４においては、図１（ｆ）に示したように、背景色領域１２とは異なる黒色のマーク部１１が頂部１４ｂにて表出している。
【００３４】
そのため、偽造防止シート１に対する観察方向を、例えば図１中下側に変化させていき、複数の凸部１３，１４の側面１３ａ，１４ａが、その凸部１３，１４の観察方向側に隣接する凸部１３〜１５によって隠れて見えなくなっていき、頂部１３ｂ，１４ｂのみが見えるような状態となると、凸部１３の頂部１３ｂと、凸部１４の頂部１４ｂとの色に違いによって、図４（ｃ）に示すように、複数の凸部１３の配列形状によって構成される潜像「Ｔ」が白色で浮かび上がって見えるようになる。
【００３５】
ここで、図１に示した偽造防止シート１においては、背景色領域１２に複数のマーク部１１がマトリックス状に設けられ、この背景色領域１２の所定領域にて複数のマーク部１１の配列方向と並行して行や列を構成することにより潜像「Ｔ」を形成する複数の凸部１３が形成されるとともに、背景色領域１２における所定領域を取り囲む領域にて複数の凸部１３の配列方向と並行して行や列を構成することにより潜像「Ｔ」を取り囲む複数の凸部１４が形成されている。そのため、複数の凸部１３と複数の凸部１４とが行や列を含む略マトリックス状となっており、平面部３に対して鋭角をなすどの方向から観察した場合であっても、複数の凸部１３，１４の側面１３ａ、１４ａが、その凸部１３，１４の観察方向側に隣接する凸部１３，１４あるいは凸部１５によって隠れて見えなくなっていき、頂部１３ｂ，１４ｂのみが見えるような状態となり、複数の凸部１３の頂部１３ｂの色と複数の凸部１４の頂部１４ｂの色との違いによって複数の凸部１３の配列形状による潜像「Ｔ」が白色で浮かび上がって見えるようになる。例えば、偽造防止シート１に対する観察方向を図１中上側に変化させていくと、複数の凸部１３の配列形状によって構成される潜像「Ｔ」が図４（ｄ）に示すように浮かび上がって見えるようになり、また、偽造防止シート１に対する観察方向を図１中右側に変化させていくと、複数の凸部１３の配列形状によって構成される潜像「Ｔ」が図４（ｅ）に示すように浮かび上がって見えるようになり、また、偽造防止シート１に対する観察方向を図１中左側に変化させていくと、複数の凸部１３の配列形状によって構成される潜像「Ｔ」が図４（ｆ）に示すように浮かび上がって見えるようになる。
【００３６】
なお、上述したどの方向から観察した場合においても、複数の凸部１４のうち観察方向最も手前の列を構成する凸部１４においては、その側面１４ａが視認可能な状態となるが、凸部１３，１４の数が多かったり、凸部１３によって構成される潜像の線幅が、観察方向最も手前の列を構成する凸部１４の側面１４ａに表出したマーク部１１による線幅よりも太かったりすること等によってこのマーク部１１が潜像とは無関係であることが認識できればよい。もし、観察方向最も手前の列を構成する凸部１４の側面１４ａに表出したマーク部１１によって潜像が不明瞭となるような場合は、潜像を構成する凸部１３を、マトリックス状に形成された複数のマーク部１１のうち、周囲から離れたマーク部１１間に設ける等すればよい。
【００３７】
上述した偽造防止シート１は、複写した場合、シート基材２の情報印刷領域４に印刷された情報や、シート基材２に印刷によりマトリックス状に設けられたマーク部１１は複写されるものの、凸部１３，１４までは再現できない。そのため、複写物の観察方向を変えていった場合であっても、複数の凸部１３の配列形状による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、複数の凸部１３の配列形状による潜像が浮かび上がって見えるため、観察方向に制限されることなく潜像による真偽判別を容易に行うことができる。また、凸部１３〜１５が、シート基材２の平面部３を窪ませることによって形成されているため、シート基材２を表裏から見た場合や、直接触れた場合において、凸部１３〜１５が認識されにくく、凸部１３〜１５が再現しにくいものとなり、偽造防止機能を向上させることができる。
【００３８】
（第２の実施の形態）
図５は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は（ｂ）に示したＢ−Ｂ’断面図、（ｅ）は凸部１１３の構成を示す図、（ｆ）は凸部１１４の構成を示す図である。
【００３９】
本形態の偽造防止シート１０１は図５に示すように、紙からなるシート基材１０２の一部の領域に偽造防止構造１１０が設けられて構成されている。シート基材１０２は、基材表面となる平面部１０３を有し、この平面部１０３の一部の領域に情報印刷領域１０４が設けられるとともに、他の領域に偽造防止構造１１０が設けられている。
【００４０】
図５（ｂ）に示すように、シート基材１０２に設けられた偽造防止構造１１０には、シート基材１０２の平面部１０３のベース色と同一の白色からなる背景色領域１１２上に、背景色領域１１２とは異なる黒色からなる複数のマーク部１１１が設けられている。この複数のマーク部１１１は、背景色領域１１２上に行及び列を構成して設けられることによりマトリックス状となっている。
【００４１】
複数のマーク部１１１がマトリックス状に設けられた領域には、第１の凸部となる複数の凸部１１３と、第２の凸部となる複数の凸部１１４と、第３の凸部１１５とが形成されている。これら凸部１１３，１１４は図５（ｃ）〜（ｆ）に示すように、円錐から頂点の部分が取り除かれた同一形状であって、シート基材１０２をエンボス版等で平面部１０３側から０．０５〜０．１ｍｍ程度窪ませることにより側面１１３ａ，１１４ａが形成され、平面部１０３との同一面が頂部１１３ｂ，１１４ｂとなっている。そして、この頂部１１３ｂ，１１４ｂからシート基材１０２の窪み方向に向かうに従ってその断面積が徐々に広くなり、凸部１１３，１１４の底部においては、直径が０．５ｍｍ以下の円形状となっている。
【００４２】
凸部１１３は、複数の凸部１１３の配列形状によって潜像となる「Ｔ」の字を表現するように複数のマーク部１１１の配列方向と並行して行や列を構成して背景色領域１１２の所定領域に形成されており、そのそれぞれは、マトリックス状に設けられた４つのマーク部１１間に形成されている。そして、その頂部１１３ｂの径が４つのマーク部１１によって形成される隙間の大きさよりも小さく、かつ、その底部の径が４つのマーク部１１によって形成される隙間の大きさよりも大きいことから、図５（ｅ）に示すように、４つのマーク部１１１の一部がそれぞれ側面１１３ａにかかるとともに、頂部１１３ｂがその４つのマーク部１１１に囲まれた部分の背景色領域１１２のみを含むようなものとなっている。凸部１１４は、背景色領域１１２にて複数の凸部１１３が形成された領域を取り囲むように、複数のマーク部１１１の配列方向と並行して行や列を構成して形成されており、そのそれぞれは、マトリックス状に設けられた複数のマーク部１１１のうち、所定領域以外の領域に設けられたマーク部１１上に形成されている。そして、その頂部１１４ｂの径がマーク部１１１の径よりも大きいことから、図５（ｆ）に示すように、頂部１１４ｂがマーク部１１１を含むようなものとなっている。
【００４３】
凸部１１５は、複数の凸部１１３と複数の凸部１１４との間に、凸部１１３，１１４の配列方向に並行して連続状に延びて形成されており、それにより、その配列形状が、凸部１１３によって表現される「Ｔ」の字の輪郭となっている。
【００４４】
上記のように構成された偽造防止シート１０１は、第１の実施の形態に示したものと同様に製造され、その後、用途に応じた情報がシート基材１０２の情報印刷領域１０４に印刷されて使用されることになる。
【００４５】
以下に、上述した偽造防止シート１０１の作用について説明する。
【００４６】
まず、図５に示した偽造防止シート１０１を正面、すなわち、シート基材１０２の平面部１０３の法線方向から観察した場合の作用について説明する。
【００４７】
図６は、図５に示した偽造防止シート１０１を正面から観察した場合の作用を説明するための図であり、偽造防止構造１１０の見え方を示す。
【００４８】
図５に示した偽造防止シート１０１を、正面、すなわち平面部１０３の法線方向から観察した場合、図６に示すように、偽造防止構造１１０においては、背景色領域１１２が白色であるのに対してこの背景色領域１１２にマトリックス状に設けられた複数のマーク部１１１が黒色であることから、マトリックス状の複数のマーク部１１１が認識される。この際、シート基材１０２には、複数の凸部１１３，１１４及び連続状の凸部１１５が形成されているが、偽造防止シート１０１を正面から観察した場合は、この凸部１１３〜１１５の頂部側から底部側に向かって観察することになるため、凸部１１３〜１１５が認識されにくく、複数のマーク部１１１がマトリックス状に認識されるだけとなり、潜像「Ｔ」は浮かび上がって見えてこない。
【００４９】
次に、図５に示した偽造防止シート１０１に対する観察方向を正面、すなわち、シート基材１０２の平面部１０３の法線方向から変化させていった場合の作用について説明する。
【００５０】
図７は、図５に示した偽造防止シート１０１に対する観察方向を正面から変化させていった場合に生じる作用を説明するための図であり、（ａ）は連続状の凸部１１５による作用を示す図、（ｂ），（ｃ）は偽造防止構造１１０の見え方を示す図である。
【００５１】
図５に示した偽造防止シート１０１に対する観察方向を正面から変化させていくと、シート基材１０２の平面部１０３に対する観察方向のなす角度が鋭角になっていく。すると、観察方向が凸部１１３〜１１５の側面に対向する方向となっていき、凸部１１３〜１１５の側面における光の反射により凸部１１３〜１１５が認識しやすくなってくる。ここで、凸部１１３，１１４においては、上述したように円錐から頂点の部分が取り除かれた形状であるため、側面にて反射した光は分散するが、凸部１１５においては、凸部１１３，１１４の配列方向に連続状に延びたものであるため、側面（図７（ａ）中斜線部）にて反射した光は分散されずに観察方向に反射してくる。それにより、凸部１１３，１１４よりも凸部１１５の方が認識されやすくなる。この凸部１１５は、その配列形状によって潜像「Ｔ」を表現する複数の凸部１１３と、その背景となる複数の凸部１１４との間に形成されているため、例えば、偽造防止シート１０１に対する観察方向を図５中下側に変化させていくと、図７（ｂ）に示すような潜像［Ｔ］の輪郭像１１５ａが現れ、また、偽造防止シート１０１に対する観察方向を図５中右側に変化させていくと、図７（ｃ）に示すような潜像［Ｔ］の輪郭像１１５ａが現れ、それにより、偽造防止構造１１０のうち、潜像「Ｔ」が存在する領域を認識することができる。なおこの際、凸部１１５においては、図７（ａ），（ｂ）に示すように、観察方向と直交する方向に延びた部分が側面における光の反射によって認識されやすくなるが、観察方向に平行となる部分についても、凸部１１５が連続状となっていることから他の領域との区別がつきやすく、それにより、潜像［Ｔ］の輪郭全体が視覚的に見えるようになる。
【００５２】
次に、図５に示した偽造防止シート１０１に対する観察方向をさらに変化させていった場合の作用について説明する。
【００５３】
図８は、図５に示した偽造防止シート１０１に対する観察方向を正面から変化させていった場合の作用を説明するための図であり、（ａ）は第１の凸部１１３について側面方向から見た図、（ｂ）は第２の凸部１１４について側面方向から見た図、（ｃ）〜（ｆ）は偽造防止構造１１０の見え方を示す図である。なお、図８（ｃ）〜（ｆ）においては、図示をわかりやすくするために凸部１１５を省略してある。
【００５４】
図５に示した偽造防止シート１０１に対する観察方向を図７に示した状態からさらに変化させていくと、シート基材１０２の平面部１０３に対する観察方向のなす角度がさらに鋭角になっていく。すると、図８（ａ），（ｂ）に示すように、複数の凸部１１３，１１４の側面１１３ａ，１１４ａが、その凸部１１３，１１４の観察方向側に隣接する凸部１１３，１１４によって隠れて見えなくなっていき、頂部１１３ｂ，１１４ｂのみが見えるような状態となる。また、観察方向側に凸部１１５が隣接している場合は、その凸部１１５によっても凸部１１３，１１４の側面１１３ａ，１１４ａが隠れて見えなくなっていき、頂部１１３ｂ，１１４ｂのみが見えるような状態となる。
【００５５】
ここで、複数の凸部１１３，１１４のうち、潜像を表現する凸部１１３においては、図５（ｅ）に示したように、背景色領域１１２の白色が頂部１１３ｂにて表出しており、また、凸部１１４においては、図５（ｆ）に示したように、背景色領域１１２とは異なる黒色のマーク部１１１が頂部１１４ｂにて表出している。
【００５６】
そのため、偽造防止シート１０１に対する観察方向を、例えば図５中下側に変化させていき、複数の凸部１１３，１１４の側面１１３ａ，１１４ａが、その凸部１１３，１１４の観察方向側に隣接する凸部１１３〜１１５によって隠れて見えなくなっていき、頂部１１３ｂ，１１４ｂのみが見えるような状態となると、凸部１１３の頂部１１３ｂと、凸部１１４の頂部１１４ｂとの色に違いによって、図８（ｃ）に示すように、複数の凸部１１３の配列形状によって構成される潜像「Ｔ」が白色で浮かび上がって見えるようになる。
【００５７】
ここで、図５に示した偽造防止シート１０１においては、背景色領域１１２に複数のマーク部１１１がマトリックス状に設けられ、この背景色領域１１２の所定領域にて複数のマーク部１１１の配列方向と並行して行や列を構成することにより潜像「Ｔ」を形成する複数の凸部１１３が形成されるとともに、背景色領域１１２における所定領域を取り囲む領域にて複数の凸部１１３の配列方向と並行して行や列を構成することにより潜像「Ｔ」を取り囲む複数の凸部１１４が形成されている。そのため、複数の凸部１１３と複数の凸部１１４とが行や列を含む略マトリックス状となっており、平面部１０３に対して鋭角をなすどの方向から観察した場合であっても、複数の凸部１１３，１４の側面１１３ａ、１１４ａが、その凸部１１３，１１４の観察方向側に隣接する凸部１１３，１１４あるいは凸部１１５によって隠れて見えなくなっていき、頂部１１３ｂ，１１４ｂのみが見えるような状態となり、複数の凸部１１３の頂部１１３ｂの色と複数の凸部１１４の頂部１１４ｂの色との違いによって複数の凸部１１３の配列形状による潜像「Ｔ」が白色で浮かび上がって見えるようになる。例えば、偽造防止シート１０１に対する観察方向を図５中上側に変化させていくと、複数の凸部１１３の配列形状によって構成される潜像「Ｔ」が図８（ｄ）に示すように浮かび上がって見えるようになり、また、偽造防止シート１０１に対する観察方向を図５中右側に変化させていくと、複数の凸部１１３の配列形状によって構成される潜像「Ｔ」が図８（ｅ）に示すように浮かび上がって見えるようになり、また、偽造防止シート１０１に対する観察方向を図５中左側に変化させていくと、複数の凸部１１３の配列形状によって構成される潜像「Ｔ」が図８（ｆ）に示すように浮かび上がって見えるようになる。
【００５８】
なお、上述したどの方向から観察した場合においても、複数の凸部１１４のうち観察方向最も手前の列を構成する凸部１１４においては、その側面１１４ａが視認可能な状態となるが、凸部１１３，１１４の数が多かったり、凸部１１３によって構成される潜像の線幅が、観察方向最も手前の列を構成する凸部１１４の側面１１４ａに表出したマーク部１１１による線幅よりも太かったりすること等によってこのマーク部１１１が潜像とは無関係であることが認識できればよい。もし、観察方向最も手前の列を構成する凸部１１４の側面１１４ａに表出したマーク部１１１によって潜像が不明瞭となるような場合は、潜像を構成する凸部１１３を、マトリックス状に形成された複数のマーク部１１１のうち、周囲から離れたマーク部１１１間に設ける等すればよい。
【００５９】
上述した偽造防止シート１０１は、複写した場合、シート基材１０２の情報印刷領域１０４に印刷された情報や、シート基材１０２に印刷によりマトリックス状に設けられたマーク部１１１は複写されるものの、凸部１１３，１１４までは再現できない。そのため、複写物の観察方向を変えていった場合であっても、複数の凸部１１３の配列形状による潜像は浮かび上がらず、それにより、真偽判別を行うことが可能となる。このように真偽判別を行う際、本形態の偽造防止シート１０１においては、偽造防止シート１０１に対する観察方向をシート基材１０２の平面部１０３の法線方向からどの方向に変化させていった場合であっても、複数の凸部１１３の配列形状による潜像が浮かび上がって見えるため、観察方向に制限されることなく潜像による真偽判別を容易に行うことができる。
【００６０】
なお、上述した実施の形態における凸部１３，１４，１１３，１１４の高さや底部の寸法については、上述したものに限らず、適宜設定が可能である。
【００６１】
また、凸部１３，１４，１１３，１１４においては、円柱形のものや頂部１３ｂ，１４ｂ，１１３ｂ，１１４ｂがない円錐形のものやドーム型のものとすることも考えられる。ただし、上述したように平面部３，１０３と平行となる頂部１３ｂ，１４ｂ，１１３ｂ，１１４ｂを有する形状の方が、背景色領域１２，１１２による色が連なる状態となって潜像を明確に浮かび上がらせることができる。また、断面が矩形状となるものとすることも考えられる。ただし、凸部１３，１４，１１３，１１４のうち、少なくとも潜像を表現する凸部１３，１１３を、平面部３，１０３と平行な断面が円形状のように中心からの距離が略一定となるものとした方が、どの方向から観察しても視認可能となる頂部１３ｂ，１１３ｂの形状が同一となり、凸部１３，１１３によって浮かび上がる潜像の精細な形状を均一化することができる。また、平面部３，１０３に対する形成角度においては、凸部１３，１４，１１３，１１４の側面１３ａ，１４ａ，１１３ａ，１１４ａを観察方向側に隣接する凸部１３，１４，１１３，１１４や凸部１５，１１５によって隠れやすくするために、平面部３，１０３に対して垂直な方向に凸形状となるように形成し、凸部１３，１４，１１３，１１４のそれぞれを円柱等の柱状に形成することが好ましい。
【００６２】
また、潜像となる情報は、上述した「Ｔ」のように複数の凸部１３，１１３が行及び列を構成したものに限らず、複数の凸部１３，１１３が行のみを構成しただけ、あるいは列のみを構成しただけのものであってもよい。また、一文字からなるものに限らず、複数の文字からなるものや模様等であってもよい。また、潜像を表現する複数の凸部１３，１１３を複数の領域に分割し、その複数の領域毎に文字等が浮かび上がる構成とすることも考えられる。また、凸部１４，１１４が、背景色領域１２，１１２にて複数の凸部１３，１１３が形成された領域を完全に取り囲むのではなく、一部が開放されるようにして、複数の凸部１４，１１４が、複数の凸部１３，１１３が形成された領域を囲むような形状であってもよい。
【００６３】
また、背景色領域１２，１１２の色とマーク部１１，１１１の色は、上述した実施の形態においては、背景色領域１２，１１２を白色とし、マーク部１１，１１１を黒色としたが、背景色領域１２，１１２を黒色とし、マーク部１１，１１１を白色としてもよく、また、互いに異なる色であれば、白色や黒色に限らない。
【００６４】
また、上述した実施の形態においては、複数の凸部１３，１１３の配列形状によって潜像「Ｔ」を表現しているが、複数の凸部１４，１１４の配列形状によって潜像「Ｔ」を表現してもよい。その場合は、偽造防止シート１，１０１に対する観察方向を正面から変化させていくと、複数の凸部１４，１１４の頂部１４ｂ，１１４ｂに表出している色、すなわち、マーク部１１，１１１の色で潜像「Ｔ」が浮かび上がって見えるようになる。
【００６５】
また、凸部１５，１１５の幅は、任意に設定することができる。例えば、上述した２つの実施の形態にて示したものにおいては、潜像を構成する凸部１３，１１３と、背景を構成する凸部１４，１１４との間隔が、マーク部１１，１１１のピッチよりも狭くなっているため、その間に形成される凸部１５，１１５の幅が凸部１３，１４，１１３，１１４の径よりも狭くなっているが、潜像を構成する凸部１３，１１３と、背景を構成する凸部１４，１１４との間隔を凸部１３，１４，１１３，１１４の配置によって広げることにより、凸部１５，１１５の幅を凸部１３，１４，１１３，１１４の径よりも広くすることができる。
【００６６】
また、上述した実施の形態においては、偽造防止媒体として、紙からなるシート基材２，１０２に偽造防止構造１０，１１０が設けられた偽造防止シート１，１０１を例に挙げて説明したが、本発明はこのような偽造防止シート１，１０１に限らず、フィルムからなるシート基材や複数の樹脂層が積層されてなるカード基材に上述したような偽造防止構造１０，１１０を設けたものにも適用することが可能である。
【図面の簡単な説明】
【００６７】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は第１の凸部の構成を示す図、（ｆ）は第２の凸部の構成を示す図である。
【図２】図１に示した偽造防止シートを正面から観察した場合の作用を説明するための図である。
【図３】図１に示した偽造防止シートに対する観察方向を正面から変化させていった場合に生じる作用を説明するための図であり、（ａ）は連続状の凸部による作用を示す図、（ｂ），（ｃ）は偽造防止構造の見え方を示す図である。
【図４】図１に示した偽造防止シートに対する観察方向を正面から変化させていった場合の作用を説明するための図であり、（ａ）は第１の凸部について側面方向から見た図、（ｂ）は第２の凸部について側面方向から見た図、（ｃ）〜（ｆ）は偽造防止構造の見え方を示す図である。
【図５】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は第１の凸部の構成を示す図、（ｆ）は第２の凸部の構成を示す図である。
【図６】図５に示した偽造防止シートを正面から観察した場合の作用を説明するための図である。
【図７】図５に示した偽造防止シートに対する観察方向を正面から変化させていった場合に生じる作用を説明するための図であり、（ａ）は連続状の凸部による作用を示す図、（ｂ），（ｃ）は偽造防止構造の見え方を示す図である。
【図８】図５に示した偽造防止シートに対する観察方向を正面から変化させていった場合の作用を説明するための図であり、（ａ）は第１の凸部について側面方向から見た図、（ｂ）は第２の凸部について側面方向から見た図、（ｃ）〜（ｆ）は偽造防止構造の見え方を示す図である。
【符号の説明】
【００６８】
１，１０１    偽造防止シート
２，１０２    シート基材
３，１０３    平面部
４，１０４    情報印刷領域
１０，１１０    偽造防止構造
１１，１１１    マーク部
１２，１１２    背景色領域
１３，１４，１５，１１３，１１４，１１５    凸部
１３ａ，１４ａ，１１３ａ，１１４ａ    側面
１３ｂ，１４ｂ，１１３ｂ，１１４ｂ    頂部
１５ａ，１１５ａ    輪郭像
【図１】
2008194829.tif 000003
【図２】
2008194829.tif 000004
【図３】
2008194829.tif 000005
【図４】
2008194829.tif 000006
【図５】
2008194829.tif 000007
【図６】
2008194829.tif 000008
【図７】
2008194829.tif 000009
【図８】
2008194829.tif 000010